【手続補正書】
【提出日】平成20年3月3日(2008.3.3)
【手続補正１】
【補正対象書類名】特許請求の範囲
【補正対象項目名】全文
【補正方法】変更
【補正の内容】
【特許請求の範囲】
【請求項１】
コンピュータ支援式ナビゲーション・システムと共に使用される登録デバイスであって、
少なくとも一つの整形外科用のインプラントに対して第1事前定義相対位置において係合可能である少なくとも一つの第1機構と、少なくとも一つの手術器具に対して第2事前定義相対位置において係合可能である少なくとも一つの第2機構とを有する本体と、
前記コンピュータ支援式ナビゲーション・システムに登録可能な少なくとも一つの基準要素を有する第1基準構造体であって、該第1基準構造体は所定箇所にて前記登録デバイスに配設され、該第1基準構造体は、所定箇所にて手術器具上に配設された第2基準構造体と、所定箇所にて整形外科用のインプラントに配設された第3基準構造体との両者と協働すべく形成された第1基準構造体とを具備し、
前記本体上における前記各機構の内の一つの機構に対してインプラントまたは器具が係合されたとき、別の基準構造体に関する前記第1基準構造体の相対位置は、選択されたインプラントもしくは器具のサイズを決定すべくコンピュータ支援式ナビゲーション・システムにより利用され、
少なくとも幾つかの前記第1機構は、複数のテーパ付きスロットを有し、該テーパ付きスロットの各々は、少なくとも一つのインプラントの少なくとも一部を受容すべく形成され、
少なくとも幾つかの前記テーパ付きスロットは、底面により結合される二つの側面を有する、登録デバイス。
【請求項２】
前記テーパ付きスロットは各々、第1方向または該第1方向と正反対の第2方向のいずれかから一つのインプラントの少なくとも一部を受容すべく形成される、請求項１に記載の登録デバイス。
【請求項３】
少なくとも幾つかの前記第2機構は、手術器具のハンドルを受容すべく形成される、請求項１に記載の登録デバイス。
【請求項４】
コンピュータ支援式ナビゲーション・システムと共に使用される登録デバイスであって、
少なくとも一つの整形外科用のインプラントに対して第1事前定義相対位置において係合可能である少なくとも一つの第1機構と、少なくとも一つの手術器具に対して第2事前定義相対位置において係合可能である少なくとも一つの第2機構とを有する本体と、
前記コンピュータ支援式ナビゲーション・システムに登録可能な少なくとも一つの基準要素を有する第1基準構造体であって、該第1基準構造体は所定箇所にて前記登録デバイスに配設され、該第1基準構造体は、所定箇所にて手術器具上に配設された第2基準構造体と、所定箇所にて整形外科用のインプラントに配設された第3基準構造体との両者と協働すべく形成された第1基準構造体とを具備し、
前記本体上における前記各機構の内の一つの機構に対してインプラントまたは器具が係合されたとき、別の基準構造体に関する前記第1基準構造体の相対位置は、選択されたインプラントもしくは器具のサイズを決定すべくコンピュータ支援式ナビゲーション・システムにより利用され、
少なくとも幾つかの前記第1機構は、複数のテーパ付きスロットを有し、該テーパ付きスロットの各々は、少なくとも一つのインプラントの少なくとも一部を受容すべく形成され、
前記テーパ付きスロットは各々、第1方向または該第1方向と正反対の第2方向のいずれかから一つのインプラントの少なくとも一部を受容すべく形成され、
前記テーパ付きスロットは、前記第1方向および前記第2方向の両方に関して内方にテーパ付けされる、登録デバイス。
【請求項５】
少なくとも幾つかの前記第2機構は、手術器具のハンドルを受容すべく形成される、請求項４に記載の登録デバイス。
【請求項６】
コンピュータ支援式ナビゲーション・システムと共に使用される登録デバイスであって、
少なくとも一つの整形外科用のインプラントに対して第1事前定義相対位置において係合可能である少なくとも一つの第1機構と、少なくとも一つの他の整形外科用のインプラントに対して第2事前定義相対位置において係合可能である少なくとも一つの第2機構とを有する本体と、
前記コンピュータ支援式ナビゲーション・システムに登録可能な少なくとも一つの基準要素を有する第1基準構造体であって、該第1基準構造体は所定箇所にて前記登録デバイスに配設され、該第1基準構造体は、所定箇所にて少なくとも一つの整形外科用のインプラントに配設された第2基準構造体と、所定箇所にて少なくとも一つの他の整形外科用のインプラントに配設された第3基準構造体との両者と協働すべく形成された第1基準構造体とを具備し、
前記本体上における前記各機構の内の一つの機構に対してインプラントが係合されたとき、別の基準構造体に関する前記第1基準構造体の相対位置は、選択されたインプラントもしくは器具のサイズを決定すべくコンピュータ支援式ナビゲーション・システムにより利用され、
少なくとも幾つかの前記第1機構は、複数のテーパ付きスロットを有し、該テーパ付きスロットの各々は、少なくとも一つのインプラントの少なくとも一部を受容すべく形成され、
前記テーパ付きスロットは各々、第1方向または該第1方向と正反対の第2方向のいずれかから一つのインプラントの少なくとも一部を受容すべく形成され、
前記テーパ付きスロットは、前記第1方向および前記第2方向の両方に関して内方にテーパ付けされる、登録デバイス。
【請求項７】
コンピュータ支援式ナビゲーション・システムと共に使用される登録デバイスであって、
少なくとも一つの整形外科用のインプラントに対して第1事前定義相対位置において係合可能である少なくとも一つの第1機構と、少なくとも一つの他の整形外科用のインプラントに対して第2事前定義相対位置において係合可能である少なくとも一つの第2機構とを有する本体と、
前記コンピュータ支援式ナビゲーション・システムに登録可能な少なくとも一つの基準要素を有する第1基準構造体であって、該第1基準構造体は所定箇所にて前記登録デバイスに配設され、該第1基準構造体は、所定箇所にて少なくとも一つの整形外科用のインプラントに配設された第2基準構造体と、所定箇所にて少なくとも一つの他の整形外科用のインプラントに配設された第3基準構造体との両者と協働すべく形成された第1基準構造体とを具備し、
前記本体上における前記各機構の内の一つの機構に対してインプラントが係合されたとき、別の基準構造体に関する前記第1基準構造体の相対位置は、選択されたインプラントのサイズを決定すべくコンピュータ支援式ナビゲーション・システムにより利用され、
少なくとも幾つかの前記第1機構は、複数のテーパ付きスロットを有し、該テーパ付きスロットの各々は、少なくとも一つのインプラントの少なくとも一部を受容すべく形成され、
前記テーパ付きスロットは各々、底面により結合される二つの対向する側面を有する、登録デバイス。
【請求項８】
コンピュータ支援式ナビゲーション・システムと共に使用される登録デバイスであって、
少なくとも一つの整形外科用のインプラントに対して第1事前定義相対位置において係合可能である少なくとも一つの第1機構と、少なくとも一つの他の整形外科用のインプラントに対して第2事前定義相対位置において係合可能である少なくとも一つの第2機構とを有する本体と、
前記コンピュータ支援式ナビゲーション・システムに登録可能な少なくとも一つの基準要素を有する第1基準構造体であって、該第1基準構造体は所定箇所にて前記登録デバイスに配設され、該第1基準構造体は、所定箇所にて少なくとも一つの整形外科用のインプラントに配設された第2基準構造体と、所定箇所にて少なくとも一つの他の整形外科用のインプラントに配設された第3基準構造体との両者と協働すべく形成された第1基準構造体とを具備し、
前記本体上における前記各機構の内の一つの機構に対してインプラントが係合されたとき、別の基準構造体に関する前記第1基準構造体の相対位置は、選択されたインプラントのサイズを決定すべくコンピュータ支援式ナビゲーション・システムにより利用され、
少なくとも幾つかの前記第1機構は、複数のテーパ付きスロットを有し、該テーパ付きスロットの各々は、少なくとも一つのインプラントの少なくとも一部を受容すべく形成され、
少なくとも幾つかの前記テーパ付きスロットは、底面により結合される二つの対向する側面を有する、登録デバイス。
【請求項９】
前記テーパ付きスロットは各々、略Ｌ字状形態のインプラントのステム部分を受け入れるように形成される、請求項８に記載の登録デバイス。